(57)【要約】【課題】ベタ部で生ずる凹凸感を抑制し高画質化を図る。【解決手段】インクジェット記録装置は記録ヘッドにより吐出されたインクに対して活性エネルギ線を照射する照射部と、記録ヘッド及び照射部を走査させる走査部と、記録媒体を副走査方向に搬送する搬送部と、画像データを生成する画像処理部と、生成後の画像データに基づき記録ヘッド、照射部、走査部及び搬送部を制御する制御部とを備える。画像処理部は、一走査分の画素データ群毎に、主走査方向及び副走査方向の２方向に所定間隔内で隣接する画素データを有し、なおかつ２方向のうち少なくとも１方向に所定数以上連続して隣接する画素データを有する連続画素データと、それ以外の独立画素データとに振り分け連続画素データと独立画素データとに対して異なる走査でインクが吐出されるように画像データを生成する。【選択図】図２
2009137240.tif 000002
【特許請求の範囲】
【請求項１】
活性エネルギ硬化型インクを記録媒体に吐出する記録ヘッドと、
前記記録ヘッドにより吐出された前記記録媒体上の前記インクに対して活性エネルギ線を照射する照射部と、
前記記録ヘッド及び前記照射部を前記記録媒体上で主走査方向に走査させる走査部と、
前記記録媒体を前記主走査方向に直交する副走査方向に搬送する搬送部と、
画素データ群からなる画像データが画像生成装置から入力されると、当該画像データに基づき、前記走査部における走査毎の吐出情報である印字データを生成する画像処理部と、
前記画像処理部により生成された前記印字データに基づき、前記記録ヘッド、前記照射部、前記走査部及び前記搬送部を制御する制御部とを備え、
前記画像処理部は、
前記画像データから、主走査方向及び副走査方向の２方向に所定間隔内で隣接する画素データを有し、なおかつ前記２方向のうち少なくとも１方向に所定数以上連続して隣接する画素データを有する連続画素データと、当該連続画素データ以外の独立画素データとを選別し、前記連続画素データと前記独立画素データとに対して異なる走査で前記インクが吐出されるように前記印字データを生成することを特徴とするインクジェット記録装置。
【請求項２】
請求項１記載のインクジェット記録装置において、
前記制御部は、前記走査部による往復走査のうち、往動、復動をそれぞれ一走査として、前記画像処理部により生成された印字データに基づき、前記記録ヘッド、前記照射部、前記走査部及び前記搬送部を制御することを特徴とするインクジェット記録装置。
【請求項３】
請求項２記載のインクジェット記録装置において、
前記照射部は、前記記録ヘッドにおける前記主走査方向の少なくとも一側方に配置されていて、
前記制御部は、
前記一側方に配置された照射部に対して前記記録ヘッドが上流側となる前記走査部による走査時には当該照射部のみが照射した状態で前記独立画素データに基づいて前記インクを吐出させることで、前記記録媒体上にインクが着弾した直後に当該インクに対して前記活性エネルギ線を照射させ、
前記一側方に配置された照射部に対して前記記録ヘッドが下流側となる前記走査部による走査時には当該照射部のみが照射した状態で前記連続画素データに基づいて前記インクを吐出させることで、前記記録媒体上にインクが着弾した直後には当該インクに対して前記活性エネルギ線を照射させないことを特徴とするインクジェット記録装置。
【請求項４】
請求項１〜３のいずれか一項に記載のインクジェット記録装置において、
前記所定間隔は、所定の画素データの中心位置と、当該画素データに同一走査で隣接する画素データの中心位置との間隔が、前記記録ヘッドで吐出可能な最大ドット径以下であり、なおかつ最小ドット径以上となる値であることを特徴とするインクジェット記録装置。
【請求項５】
請求項１〜４のいずれか一項に記載のインクジェット記録装置において、
前記所定数は、２以上であることを特徴とするインクジェット記録装置。
【請求項６】
画素データ群からなる画像データに基づき、走査毎の印字データを生成する画像処理部と、
前記画像処理部で生成された印字データに基づき記録媒体上にインクを吐出するインクジェット記録装置とを備えるインクジェット記録システムであって、
前記インクジェット記録装置は、
活性エネルギ硬化型インクを記録媒体に吐出する記録ヘッドと、
前記記録ヘッドにより吐出された前記記録媒体上の前記インクに対して活性エネルギ線を照射する照射部と、
前記記録ヘッド及び前記照射部を前記記録媒体上で主走査方向に走査させる走査部と、
前記記録媒体を前記主走査方向に直交する副走査方向に搬送する搬送部と、
前記画像処理部により生成された前記印字データに基づき、前記記録ヘッド、前記照射部、前記走査部及び前記搬送部を制御する制御部とを備え、
前記画像処理部は、
前記画像データから、主走査方向及び副走査方向の２方向に所定間隔内で隣接する画素データを有し、なおかつ前記２方向のうち少なくとも１方向に所定数以上連続して隣接する画素データを有する連続画素データと、当該連続画素データ以外の独立画素データとを選別し、前記連続画素データと前記独立画素データとに対して異なる走査で前記インクが吐出されるように前記印字データを生成することを特徴とするインクジェット記録システム。 
【発明の詳細な説明】
【技術分野】
【０００１】
本発明は、インクジェット記録装置及びインクジェット記録システムに係り、特に、活性エネルギ線硬化型インクにより画像を形成するインクジェット記録装置及びインクジェット記録システムに関する。
【背景技術】
【０００２】
近年においては、様々な記録媒体に対しても画像記録を可能とする活性エネルギ線硬化型インク（以下、硬化型インクと称す。）が開発されている。この硬化型インクは、紫外線等の活性エネルギ線が照射されることで硬化する特性であるため、当該インクを用いて画像を記録するインクジェット記録装置には、硬化型インクが記録媒体に着弾した後に、活性エネルギ線を照射する照射部が搭載されている。照射部により活性エネルギ線が照射されると、硬化型インクは記録媒体上で硬化することになる。
【０００３】
ところで、一般にインクジェット記録方式の記録装置では、スジムラを低減するために、ベタ部においては理論画素よりも大きなドットが用紙上に形成されるように設定されている。また、細かな文字やハイライト部などの細部においては、ベタ部よりもドットを小さくして当該部分の鮮鋭性を実現している。
また、インクは用紙上で硬化するまでに拡がってしまうために、ドットの大きさはインクが用紙上に着弾してから硬化するまでの時間、つまり活性エネルギ線が照射されるまでの時間（照射開始時間）にも依存している。例えば、特許文献１には、ベタ部においては、照射開始時間を遅くすることで、ドットをより大きく拡げ、細部においては、照射開始時間を早くすることでドットの拡がりを抑える技術が開示されている。
そして、例えば特許文献１記載の技術では、ベタ部と細部とを判別するために、インデックス法を用いた階調表現で、所定階調未満で表現されるドット（小ドット）を細部と判別し、所定階調以上で表現されるドット（大ドット）をベタ部と判別している。
【特許文献１】特開２００４−１６７８６４号公報
【発明の開示】
【発明が解決しようとする課題】
【０００４】
ところで、硬化型インクによる画像形成では、硬化型インクの特性として画像に凹凸感が生ずるという問題がある。このため、ベタ部においては記録媒体上のドットを硬化前に拡げてレベリングを進行させ、凹凸感を抑制する必要があるが、隣接したドットがあればそのドット同士が合体し、より凹凸感を抑制することができる。しかしながら、特許文献１記載の技術のように、小ドットと大ドットとを判別し、それぞれを異なる走査で形成する場合、隣接したドットまでは判別できず、凹凸感を抑制することは困難であった。
そこで、本発明の課題は、ベタ部で生ずる凹凸感を抑制し、画像の高画質化を図ることである。
【課題を解決するための手段】
【０００５】
請求項１記載の発明に係るインクジェット記録装置は、
活性エネルギ硬化型インクを記録媒体に吐出する記録ヘッドと、
前記記録ヘッドにより吐出された前記記録媒体上の前記インクに対して活性エネルギ線を照射する照射部と、
前記記録ヘッド及び前記照射部を前記記録媒体上で主走査方向に走査させる走査部と、
前記記録媒体を前記主走査方向に直交する副走査方向に搬送する搬送部と、
画素データ群からなる画像データが画像生成装置から入力されると、当該画像データに基づき、前記走査部における走査毎の吐出情報である印字データを生成する画像処理部と、
前記画像処理部により生成された前記印字データに基づき、前記記録ヘッド、前記照射部、前記走査部及び前記搬送部を制御する制御部とを備え、
前記画像処理部は、
前記画像データから、主走査方向及び副走査方向の２方向に所定間隔内で隣接する画素データを有し、なおかつ前記２方向のうち少なくとも１方向に所定数以上連続して隣接する画素データを有する連続画素データと、当該連続画素データ以外の独立画素データとを選別し、前記連続画素データと前記独立画素データとに対して異なる走査で前記インクが吐出されるように前記印字データを生成することを特徴としている。
【０００６】
請求項２記載の発明は、請求項１記載のインクジェット記録装置において、
前記制御部は、前記走査部による往復走査のうち、往動、復動をそれぞれ一走査として、前記画像処理部により生成された印字データに基づき、前記記録ヘッド、前記照射部、前記走査部及び前記搬送部を制御することを特徴としている。
【０００７】
請求項３記載の発明は、請求項２記載のインクジェット記録装置において、
前記照射部は、前記記録ヘッドにおける前記主走査方向の少なくとも一側方に配置されていて、
前記制御部は、
前記一側方に配置された照射部に対して前記記録ヘッドが上流側となる前記走査部による走査時には当該照射部のみが照射した状態で前記独立画素データに基づいて前記インクを吐出させることで、前記記録媒体上にインクが着弾した直後に当該インクに対して前記活性エネルギ線を照射させ、
前記一側方に配置された照射部に対して前記記録ヘッドが下流側となる前記走査部による走査時には当該照射部のみが照射した状態で前記連続画素データに基づいて前記インクを吐出させることで、前記記録媒体上にインクが着弾した直後には当該インクに対して前記活性エネルギ線を照射させないことを特徴としている。
【０００８】
請求項４記載の発明は、請求項１〜３のいずれか一項に記載のインクジェット記録装置において、
前記所定間隔は、所定の画素データの中心位置と、当該画素データに同一走査で隣接する画素データの中心位置との間隔が、前記記録ヘッドで吐出可能な最大ドット径以下であり、なおかつ最小ドット径以上となる値であることを特徴としている。
【０００９】
請求項５記載の発明は、請求項１〜４のいずれか一項に記載のインクジェット記録装置において、
前記所定数は、２以上であることを特徴としている。
【００１０】
請求項６記載の発明は、
画素データ群からなる画像データに基づき、走査毎の印字データを生成する画像処理部と、
前記画像処理部で生成された印字データに基づき記録媒体上にインクを吐出するインクジェット記録装置とを備えるインクジェット記録システムであって、
前記インクジェット記録装置は、
活性エネルギ硬化型インクを記録媒体に吐出する記録ヘッドと、
前記記録ヘッドにより吐出された前記記録媒体上の前記インクに対して活性エネルギ線を照射する照射部と、
前記記録ヘッド及び前記照射部を前記記録媒体上で主走査方向に走査させる走査部と、
前記記録媒体を前記主走査方向に直交する副走査方向に搬送する搬送部と、
前記画像処理部により生成された前記印字データに基づき、前記記録ヘッド、前記照射部、前記走査部及び前記搬送部を制御する制御部とを備え、
前記画像処理部は、
前記画像データから、主走査方向及び副走査方向の２方向に所定間隔内で隣接する画素データを有し、なおかつ前記２方向のうち少なくとも１方向に所定数以上連続して隣接する画素データを有する連続画素データと、当該連続画素データ以外の独立画素データとを選別し、前記連続画素データと前記独立画素データとに対して異なる走査で前記インクが吐出されるように前記印字データを生成することを特徴としている。
【発明の効果】
【００１１】
本発明によれば、連続画像データに基づくインク吐出と、独立画素データに基づくインク吐出とが、それぞれ異なる走査によって行われるので、各インク吐出によるドットに対する照射条件も異ならせることが可能となる。ここで、形成画像におけるベタ部は、連続画像データに基づくインク吐出により形成されるために、当該インク吐出により記録媒体上に着弾したインクに対しては同一走査で照射を行わないようにしておくことで、レベリングが進行してベタ部の凹凸を抑制することが可能となる。特に、連続画像データに基づくドットには、隣接するドットが必ず存在することになるために、レベリングが進行し両者が合体することで、より効果的に凹凸を抑制することができる。
一方、形成画像における細部（ハイライト部、文字部、細線部等）は、独立画素データに基づくインク吐出により形成されるが、細部においてはベタ部と同様にレベリングを進行させてしまうと鮮鋭度が低下してしまったり、粒状感が悪化してしまう。しかしながら、上記したように独立画素データに基づくインク吐出と、連続画素データに基づくインク吐出とを異なる走査により実行することが可能なため、この独立画素データに基づき記録媒体上に着弾したインクに対しては同一走査で照射が行われるようにしておくことで、鮮鋭度や粒状感が低下しないことになる。したがって、ベタ部においては凹凸感がなく、細部においては鮮鋭度や粒状感の損なわれない高画質な画像を形成することができる。
【発明を実施するための最良の形態】
【００１２】
本実施形態におけるインクジェット記録装置は、記録媒体に対して活性エネルギ線硬化型インク（以下、硬化型インクと称す。）を吐出し、その後活性エネルギ線を照射することで、硬化型インクを硬化させて、画像を記録するシリアルタイプのインクジェット記録装置である。
以下、本実施形態におけるインクジェット記録装置について図を参照にして説明する。図１はインクジェット記録装置の概略構成を示す説明図である。この図１に示すように、インクジェット記録装置１には、記録媒体２を支持するプラテン３と、プラテン３上を主走査方向Ａに沿って往復走査するキャリッジ５とが備えられている。
【００１３】
キャリッジ５には、硬化型インクを吐出する複数の記録ヘッド６と、記録媒体２に対して活性エネルギ線（例えば紫外線等）を照射する照射部７とが搭載されている。
複数の記録ヘッド６は、それぞれイエロー（Ｙ）、マゼンタ（Ｍ）、シアン（Ｃ）、ブラック（Ｋ）の硬化型インクを吐出するようになっていて、それらが主走査方向に沿って配列されている。
【００１４】
照射部７は、主走査方向Ａにおける複数の記録ヘッド６の一側方に配置されるようにキャリッジ５に搭載されている。以下、キャリッジ５の往復走査のうち、記録ヘッド６の上流側に照射部７が位置する走査を往動（図１における往動方向ａ１）、記録ヘッド６の下流側に照射部７が位置する走査を復動（図１における復動方向ａ２）と称す。これにより、往動時に記録ヘッド６から吐出されたインクは、着弾直後に紫外線が照射されることになり、復動時に記録ヘッド６から吐出されたインクは、着弾直後ではなく一定期間（往動の後、キャリッジ５が往動で通過するまでの間）後に紫外線が照射されることになる。
【００１５】
図２は、インクジェット記録装置１の主制御構成を示すブロック図である。図２に示すように、インクジェット記録装置１には、画素データ群からなる画像データを生成する例えばＰＣ等の画像生成装置３０から画像データが入力される入力部１１と、入力部１１に入力された画像データに基づき、キャリッジ５における走査毎の吐出情報である印字データを生成する画像処理部４と、キャリッジ５を主走査方向Ａに沿って往復走査させるためのキャリッジ走査部１３と、記録媒体２を主走査方向Ａに直交する副走査方向に搬送するための記録媒体搬送部１４と、各種指示が入力される操作部１５とが備えられている。また、インクジェット記録装置１には、画像処理部４と、記録ヘッド６、照射部７、記憶部１２、キャリッジ走査部１３、記録媒体搬送部１４、操作部１５と電気的に接続されて、操作部１５に入力された各種指示及び画像処理部４により生成された印字データ等に基づいて、各部を制御する制御部２０が設けられている。
なお、キャリッジ５とキャリッジ走査部１３とが本発明に係る走査部であり、記録媒体搬送部１４が本発明に係る搬送部である。
【００１６】
画像処理部４は、入力部１１を介して画像生成装置３０から入力されたベクタ形式の画像データに対して周知のＲＩＰ（Raster Image Processor）によりラスタデータに変換する。さらに、画像処理部４は、ラスタデータに変換された画像データ中の画素データを、キャリッジ５による一走査でインクが吐出される対象となる画素データを走査毎に分類する。例えば図３に示すように、主走査方向Ａに２画素おき、副走査方向Ｂに１画素おきに同一走査でインクが吐出される走査方式である場合には、各画素データを走査毎に１〜６類に分類する。
【００１７】
画像処理部４は、一走査分の画素データ群（１類群〜６類群）毎に、主走査方向Ａ及び副走査方向Ｂの２方向に所定間隔内で隣接する画素データを有し、なおかつ前記２方向のうち少なくとも１方向に所定数以上連続して隣接する画素データを有する連続画素データと、当該連続画素データ以外の独立画素データとに選別する。
なお「所定間隔」とは、所定の画素データの中心位置と、当該画素データに同一走査で隣接する画素データの中心位置との間隔Ｋ１，Ｋ２（図４参照）が、インクジェット記録装置１で吐出される最大ドット径（正確には記録媒体に着弾した直後のドット径）以下であり、なおかつ最小ドット径以上となる値のことである。本実施形態での所定間隔は、大ドットとして吐出されたインクが記録媒体に着弾した直後のドット径以下であり、小ドットとして吐出されたインクが記録媒体に着弾した直後のドット径よりも大きい値に設定されている。
また、「所定数」とは、連続画素データが二次元的な広がりを有しているかを判別するものであり、二次元的な拡がりを確実に判別するため当該所定数は少なくとも２以上、好ましくは３以上である。
【００１８】
例えば、所定数を２とし、１類群に対して連続画素データ及び独立画素データを振り分ける場合を例にして説明すると、図４に示すように一走査における全ての対象画素Ｇに大ドットＤが吐出される場合は、各画素Ｇに対応する画素データは全て連続画素データとして振り分けられることになる。
また、図５に示すように、主走査方向Ａに連続した画素Ｇ１〜Ｇ４と、これらの画素Ｇ１〜Ｇ４のうち、１つの画素Ｇ１にのみ副走査方向Ｂに連続する画素Ｇ５に大ドットＤが吐出される場合も、各画素Ｇ１〜Ｇ５に対応する画素データは全て連続画素データとして振り分けられることになる。
また、図６に示すように、副走査方向Ｂに連続した画素Ｇ１１〜Ｇ１４と、これらの画素Ｇ１１〜Ｇ１４のうち、１つの画素Ｇ１１にのみ主走査方向Ａに連続する画素Ｇ１５に大ドットＤが吐出される場合も、各画素Ｇ１１〜Ｇ１５に対応する画素データは全て連続画素データとして振り分けられることになる。
【００１９】
一方、図７に示すように、一走査における全ての対象画素Ｇに小ドットｄが吐出される場合は、二次元的な広がりがないために、各画素Ｇに対応する画素データは全て独立画素データとして振り分けられることになる。
また、図８，図９に示すように、小ドットｄ及び大ドットＤが隣接しない場合にも、各画素Ｇに対応する画素データは全て独立画素データとして振り分けられることになる。
【００２０】
連続画素データ及び独立画素データの振り分けを完了すると、画像処理部４は、連続画素データと独立画素データとに対して異なる走査でインクが吐出されるように印字データを生成する。
【００２１】
制御部２０は、ＣＰＵ２１、ＲＯＭ２２、ＲＡＭ２３からなり、ＲＯＭ２２に記録された処理プログラムをＲＡＭ２３に展開してＣＰＵ２１によりこの処理プログラムを実行することで、画像データを基にして各部を制御し画像記録処理を施すようになっている。
制御部２０は、キャリッジ５による往復走査のうち、往動、復動をそれぞれ一走査として、画像処理部４により生成された画像データに基づき、記録ヘッド６、照射部７、キャリッジ走査部１３及び記録媒体搬送部１４を制御するようになっている。具体的には、制御部２０は、走査部による往動時には照射部７が照射した状態で独立画素データに基づいてインクを吐出させることで、同一走査により記録媒体２上に着弾したインクに活性エネルギ線を照射させ、走査部による復動時には照射部７が照射した状態で連続画素データに基づいてインクを吐出させることで、同一走査により前記記録媒体上に着弾したインクに前記活性エネルギ線を照射させないように、記録ヘッド６、照射部７、キャリッジ走査部１３及び記録媒体搬送部１４を制御する。
【００２２】
次に本実施形態の作用について説明する。
まず、画像生成装置３０からインクジェット記録装置１に画像データが入力されると、画像処理部４は、ベクタ形式の画像データをラスタデータに変換する。さらに、画像処理部４は、ラスタデータに変換された画像データ中の画素データを、キャリッジ５による一走査でインクが吐出される対象となる画素データを走査毎に分類する。
【００２３】
そして、画像処理部４は、分類した一走査分の画素データ群毎に、主走査方向Ａ及び副走査方向Ｂの２方向に所定間隔内で隣接する画素データを有し、なおかつ前記２方向のうち少なくとも１方向に所定数以上連続して隣接する画素データを有する連続画素データと、当該連続画素データ以外の独立画素データとに選別し、連続画素データと独立画素データとに対して異なる走査でインクが吐出されるように印字データを生成する。
【００２４】
印字データの生成が完了すると、画像処理部４は当該印字データを制御部２０に出力する。
制御部２０は、キャリッジ２０による往動時には照射部７が照射した状態で独立画素データに基づいてインクを吐出させることで、記録媒体２上にインクが着弾した直後に当該インクに対して活性エネルギ線を照射させるように、記録ヘッド６、照射部７、キャリッジ走査部１３及び記録媒体搬送部１４を制御する。一方、キャリッジ５による復動時には照射部７が照射した状態で連続画素データに基づいてインクを吐出させることで、記録媒体２上にインクが着弾した直後には当該インクに対して活性エネルギ線を照射させないように、記録ヘッド６、照射部７、キャリッジ走査部１３及び記録媒体搬送部１４を制御する。これにより、往動時には、着弾したインクに対して着弾と同一の走査で活性エネルギ線が照射されることになり、復動時には、着弾したインクに対して着弾と同一走査で活性エネルギ線が照射されないことになる。つまり、往動時に着弾したインク及び復動時に着弾したインクは、いずれも往動の際に活性エネルギ線が照射されるのである。
そして、上記の制御を各走査毎に繰り返すことで記録媒体２上に画像を出力する。
【００２５】
以上のように、本実施形態によれば、連続画像データに基づくインク吐出と、独立画素データに基づくインク吐出とが、それぞれ異なる走査によって行われるので、各インク吐出によるドットに対する照射条件も異ならせることが可能となる。ここで、形成画像におけるベタ部は、連続画像データに基づくインク吐出により形成されるために、当該インク吐出により記録媒体上に着弾したインクに対しては同一走査で照射を行わないようにしておくことで、レベリングが進行してベタ部の凹凸を抑制することが可能となる。特に、連続画像データに基づくドットには、隣接するドットが必ず存在することになるために、レベリングが進行し両者が合体することで、より効果的に凹凸を抑制することができる。
一方、形成画像における細部（ハイライト部、文字部、細線部等）は、独立画素データに基づくインク吐出により形成されるが、細部においてはベタ部と同様にレベリングを進行させてしまうと鮮鋭度が低下してしまったり、粒状感が悪化してしまう。しかしながら、上記したように独立画素データに基づくインク吐出と、連続画像データに基づくインク吐出とを異なる走査により実行することが可能なため、この独立画素データに基づき記録媒体上に着弾したインクに対しては同一走査で照射が行われるようにしておくことで、鮮鋭度や粒状感が低下しないことになる。したがって、ベタ部においては凹凸感がなく、細部においては鮮鋭度や粒状感の損なわれない高画質な画像を形成することができる。
【００２６】
また、制御部２０が、キャリッジ５による往復走査のうち、往動、復動をそれぞれ一走査として、画像処理部４により生成された画像データに基づき、記録ヘッド６、照射部７、キャリッジ走査部１３及び記録媒体搬送部１４を制御するので、例えば、往動走査では連続画像データに基づくインク吐出を、復動走査では独立画素データに基づくインク吐出を実行することができる。
【００２７】
そして、照射部７が、記録ヘッド６における主走査方向の一側方に配置されているとともに、照射部７に対して記録ヘッド８が上流側となる走査時（往動時）には照射部７が照射した状態で独立画素データに基づいてインクが吐出されることで、同一走査により記録媒体２上に着弾したインクに前記活性エネルギ線を照射させ、記録ヘッド８が下流側となる走査時（復動時）には照射部７が照射した状態で連続画素データに基づいてインクが吐出されることで、同一走査により記録媒体２上に着弾したインクに活性エネルギ線を照射させないので、走査速度が往動、復動それぞれで同じであっても、独立画素データに基づくドットには着弾直後に活性エネルギ線が照射され、連続画素データに基づくドットには着弾後、しばらく活性エネルギ線が照射されないことになる。つまり、記録ヘッド６の一側方に照射部７を配置するという簡素な構成で、独立画素データに基づくドットに対しては同一走査で活性エネルギ線を照射することで、鮮鋭度や粒状感の低下を防止するとともに、連続画素データに基づくドットに対しては同一走査では活性エネルギ線を照射せずに凹凸感を抑制するということが可能となる。
なお、本実施形態では、照射部７が、記録ヘッド６における主走査方向の一側方にのみ配置されている場合を例示して説明したが、両側方に配置されていてもよい。独立画素データに基づくインク吐出と、連続画素データに基づくインク吐出とを異なる走査で実行する場合には、一側方の照射部のみを点灯させて、他側方の照射部は消灯させておくことになる。
【００２８】
なお、本発明は上記実施形態に限らず適宜変更可能であるのは勿論である。
例えば、本実施形態では、照射部７を、キャリッジ５による往動時に上流側となる記録ヘッド６の一側方に配置することで、連続画像データに基づくドットと、独立画素データに基づくドットとに対する照射タイミングを異ならせているが、照射タイミングを異ならせる手法を例示しているが、照射タイミングを異ならせる手法はこれに限定されるものではなく、例えば、照射部７の点灯／消灯タイミングを異ならせたり、キャリッジ５の走査速度を変更させたりすることで、照射タイミングを異ならせることも可能である。
【００２９】
また、本実施形態では、画像処理部４を搭載したインクジェット記録装置１について説明しているが、画像処理部とインクジェット記録装置とが別体のインクジェット記録システムに対しても上述の構成を適用することが可能である。例えば図１０は、上記構成を適用したインクジェット記録システム１００の主制御構成を示すブロック図である。この場合、画像処理部４ａは画像生成装置３０ａに一体的に備えられており、画像処理部４ａで生成した印字データがインクジェット記録装置１ａに出力されるようになっている。そして、インクジェット記録装置１ａの制御部２０は、画像生成装置３０ａから入力された印字データに基づいて記録ヘッド６、照射部７、キャリッジ走査部１３及び記録媒体搬送部１４を制御し、これを各走査毎に繰り返すことで記録媒体２上に画像を出力する。
【図面の簡単な説明】
【００３０】
【図１】本実施形態に係るインクジェット記録装置の概略構成を示す説明図である。
【図２】図２のインクジェット記録装置の主制御構成を示すブロック図である。
【図３】図１のインクジェット記録装置で行われる画素データの分類例を示す説明図である。
【図４】本実施形態に係る連続画素データ及び独立画素データの振り分け例を示す説明図である。
【図５】本実施形態に係る連続画素データ及び独立画素データの振り分け例を示す説明図である。
【図６】本実施形態に係る連続画素データ及び独立画素データの振り分け例を示す説明図である。
【図７】本実施形態に係る連続画素データ及び独立画素データの振り分け例を示す説明図である。
【図８】本実施形態に係る連続画素データ及び独立画素データの振り分け例を示す説明図である。
【図９】本実施形態に係る連続画素データ及び独立画素データの振り分け例を示す説明図である。
【図１０】本実施形態に係るインクジェット記録システムの主制御構成を示すブロック図である。
【符号の説明】
【００３１】
１      インクジェット記録装置
２      記録媒体
３      プラテン
４      画像処理部
５      キャリッジ（走査部）
６      記録ヘッド
７      照射部
１１      入力部
１２      記憶部
１３      キャリッジ走査部（走査部）
１４      記録媒体搬送部（搬送部）
１５      操作部
２０      制御部
３０      画像生成装置
１００      インクジェット記録システム
【図１】
2009137240.tif 000003
【図２】
2009137240.tif 000004
【図３】
2009137240.tif 000005
【図４】
2009137240.tif 000006
【図５】
2009137240.tif 000007
【図６】
2009137240.tif 000008
【図７】
2009137240.tif 000009
【図８】
2009137240.tif 000010
【図９】
2009137240.tif 000011
【図１０】
2009137240.tif 000012